(57)【特許請求の範囲】
【請求項１】
中央部に位置する腰部支持部、前記腰部支持部の長手方向の一端部に枢支され且つ非作動時には前記腰部支持部と略面一をなす背もたれ部及び前記腰部支持部の長手方向の他端部に枢支され且つ非作動時には前記腰部支持部と略面一をなす一対の板の膝曲げ部を備えた床板部：前記床板部を保持するフレーム部：並びに前記フレーム部の下側に装架され且つ長手方向に延在する移動体、基準位置にある前記移動体を前記フレーム部の長手方向に沿って移動させる駆動手段、前記移動体と一方側と前記背もたれ部との間に介設された第１機構及び前記移動体の他方側と前記膝曲げ部との間に介設された第２機構を備え、前記移動体が前記基準位置から一方側に移動したときには第１機構及び第２機構は夫々前記背もたれ部を起立及び前記一対の板を床面に対してＶ字を形成せしめ、前記移動体が前記基準位置から他方側に移動したときには、前記第２機構は前記一対の板を平面を保持させながら起立させるようにした駆動機構：からなる、ベッド装置。
【請求項２】
前記駆動機構は前記フレーム部に着脱可能となるようにユニット化されている、請求項１記載のベッド装置。
【発明の詳細な説明】
【０００１】
【発明の属する技術分野】
本発明は、ベッド装置に関し、更に詳しくは背もたれ部及び膝曲げ部が夫々起立及び上昇するようにしたベッド装置に関する。
【０００２】
【従来の技術】
従来の此の種のベッド装置、例えば特開平１０−５０７３８９号公報においては、背もたれ部及び膝曲げ部が夫々起立及び上昇するようにしたベッド装置が開示されている。
【０００３】
【発明が解決しようとする課題】
ところが、従来のベッド装置においては、背もたれ部の起立及び膝曲げ部の上昇は、夫々、独立の駆動源を用いて行っており、装置全体の構造の複雑化やコスト高を招来していた。
【０００４】
【課題を解決するための手段】
上記した不具合を解決するために、請求項１で講じた技術的手段は、中央部に位置する腰部支持部、前記腰部支持部の長手方向の一端部に枢支され且つ非作動時には前記腰部支持部と略面一をなす背もたれ部及び前記腰部支持部の長手方向の他端部に枢支され且つ非作動時には前記腰部支持部と略面一をなす一対の板の膝曲げ部を備えた床板部：前記床板部を保持するフレーム部：並びに前記フレーム部の下側に装架され且つ長手方向に延在する移動体、基準位置にある前記移動体を前記フレーム部の長手方向に沿って移動させる駆動手段、前記移動体と一方側と前記背もたれ部との間に介設された第１機構及び前記移動体の他方側と前記膝曲げ部との間に介設された第２機構を備え、前記移動体が前記基準位置から一方側に移動したときには第１機構及び第２機構は夫々前記背もたれ部を起立及び前記一対の板を床面に対してＶ字を形成せしめ、前記移動体が前記基準位置から他方側に移動したときには、前記第２機構は前記一対の板を平面を保持させながら起立させるようにした駆動機構：からなる、ベッド装置を構成したことである。
【０００５】
【作用及び効果】
上記した構成においては、駆動手段は移動体を介して第１機構及び第２機構の双方を同時に作動させるので、背もたれ部の起立及び膝曲げ部の上昇を、共通の手段にて行うことが出来る。
【０００６】
【実施例】
本発明の実施の形態例を添付図面に基づいて説明する。
【０００７】
図１において、ベッド装置１０は、床板部１２を備える。しかして、床板部１２は、中央部に位置し且つフレーム部２２に固定された腰部支持部１４、腰部支持部１４の右端部にヒンジ係合された背もたれ部１６及び腰部支持部１４の左端部にヒンジ係合された膝曲げ部１８から構成されている。腰部支持部１４、背もたれ部１６及び膝曲げ部１８は、面一となるように配置されており、また、膝曲げ部１８は、相互にヒンジ係合された一対の板２０から構成されている。
【０００８】
床板部１２の下側には、フレーム部２２に対して着脱可能に装架された駆動機構３０が配設されている。しかして駆動機構３０は、移動体３２、この移動体３０を長手方向に直線往復移動させる駆動手段たるモータ３４、移動体３２と背もたれ部１６との間に介設された第１機構４０及び移動体３２と板２０との間に介設された第２機構６０とから構成されてえいる。
【０００９】
第１機構４０は、レバー４２を備える。レバー４２の上端部は、背もたれ部１６にヒンジ係合されており、レバー４２の下端部にはローラ４４が回転可能に装架されている。しかして、このローラ４４は、移動体３２の溝３３内に滑動可能に装架されている。尚、溝３３は、右端壁３３ａ及び左端壁３３ｂを備えており、第１機構４０が非作動位置にあるときは、図１に示すように、ローラ４４は、左端壁３３ｂに隣接している。
【００１０】
第２機構６０は、第１レバー６２及び第２レバー６４を備える。第１レバー６２（第２レバー６４）の上端部は、右側の板２０（左側の板２０）にヒンジ係合しており、第１レバー６２（第２レバー６４）の下端部には第１ローラ６６（第２ローラ６８）が回転可能に装架されている。しかして、この第１ローラ６６（第２ローラ６８）は、移動体３２の第１溝３５（第２溝３７）内に滑動可能に装架されている。尚、第１溝３５と第２溝３７は、平面的にみた場合、相互に平行となっている。第１溝３５は、右端壁３５ａ及び左端壁３５ｂを備えており、また、第２溝３７も、右端壁３７ａ及び左端壁３７ｂを備えている。第１機構６０が非作動位置にあるときは、図１に示すように、第１ローラ６６（第２ローラ６８）は、左端壁３５ｂ（左端壁３７ｂ）に隣接している。
【００１１】
図１に示す状態において、モータ３４を一方向に駆動させて移動体３２を右方向に変移させると、図２に示されるように、第１機構４０が作動して、背もたれ部１６が起立する。すなわち、レバー４２の下端部のローラ４４が移動体３２と一体で右方向に変移する溝３３の左端部３３ｂが右方向に付勢され、レバー４２を反時計方向に回動せしめ、図２に示すように、背もたれ部１６を起立させる。一方、第２機構６０のレバー６２の下端部のローラ６６が移動体３２と一体で右方向に変移する溝３５の左端部３５ｂが右方向に付勢され、レバー６２を反時計方向に回動せしめる。これにより、右側の板２０が時計方向に回動上昇される。しかして、右側の板２０は左側の板２０とヒンジ係合しているので、右側の板２０の時計方向の回動上昇に伴い、双方の板２０はより鋭角をなすように、逆Ｖ字を形成する。この逆Ｖ字は山形をなすので、膝も楽に折り曲げられる。
【００１２】
逆に、図１に示す状態において、モータ３４を他方向に駆動させて移動体３２を左方向に変移させると、ローラ４４と端部３３ａとの間には十分なクリアランスが設定されているため、図２に示すように、静止するレバー４２の下端部のローラ４４に対して、移動体３２のみが左方向に変移する。したがって、第１機構４０は作動せず、レバー４２は、図１と同じ状態を保つ。一方、第２機構６０のレバー６２の下端部のローラ６６が移動体３２と一体で左方向に変移する溝３７の右端部３５ａが右方向に付勢され、レバー６４を時計方向に回動せしめる。これにより、左側の板２０が時計方向に回動上昇される。しかして、左側の板２０はレバー６２により支持される右側の板２０とヒンジ係合しているので、左側の板２０の時計方向の回動上昇に伴い、双方の板２０は面一を保つようにした状態で反時計方向に回動上昇する。この時、ローラ６６と端部３５ａとの間のクリアランスを十分に設定しておくことにより、右側の板２０を積極に付勢しない。かくして、膝を曲げずに楽な姿勢をとることが出来る。
【００１３】
なお、上記した駆動機構つまり３０はユニット化することにより、フレーム部２２に後付けすることができる。
【図面の簡単な説明】
【図１】本発明に係るベッド装置の概略側面図である。
【図２】図１に示す装置の背もたれ部及び膝曲げ部を上昇させたときの作動説明図である。
【図３】図１に示す装置の膝曲げ部のみを上昇させたときの作動説明図である。
【符号の説明】
１０    ベッド装置
１２    床板部
１４    腰部支持部
１６    背もたれ部
１８    膝曲げ部
２０    板
２２    フレーム部
３０    駆動機構
３２    移動体
３３    溝
３４    モータ（駆動手段）
３５    溝
４０    第１機構
４２    レバー
６０    第２機構
６２    第１レバー
６４    第２レバー
【図１】
0003988283.tif 000002
【図２】
0003988283.tif 000003
【図３】
0003988283.tif 000004